(57)【特許請求の範囲】
【請求項１】
ワイヤアセンブリを布線するための図板上に立設されたピラー部とピラー部の上端部に形成される電線受け部とを有する電線保持具に付設され、該電線保持具上に配索されるワイヤアセンブリの後入れ電線を仮保持するための後入れ電線仮保持具において、
上記後入れ電線を仮保持する仮保持部と、
仮保持部が、上記電線受け部の下方に区画される空き空間で後入れ電線を仮保持するように、仮保持部を電線保持具に着脱可能に取り付ける取付手段と
を備えていることを特徴とする後入れ電線仮保持具。
【発明の詳細な説明】
【０００１】
【発明の属する技術分野】
本発明は後入れ電線仮保持具に関する。
【０００２】
【従来の技術】
一般に、ワイヤハーネスやワイヤハーネスを構成するサブアセンブリ（以下、「ワイヤアセンブリ」と総称する）は、複数の電線を図板と呼称される作業台の上に布線することにより、製造される電気配線システムである。
上記布線を容易にするために、上記図板上には、ワイヤアセンブリの配線形態に併せて複数の電線保持具が立設されている。この電線保持具は、図板に固定されて上方に立ち上がる棒状のピラー部と、ピラー部の上端部に形成された電線受け部とを備えている。通常、電線受け部は、「Ｕ」字型或いは鼎型に区画されてピラー部と一体に形成される金属部材であり、この電線受け部に電線束を受けるようにしている。
【０００３】
ところで、図板に布線される電線は、多くの場合、コネクタに接続されて所定の電気回路を形成しているが、一部のものについては、先端に接続された端子が剥き出しのまま配索され、図板上で接続待ちになっている等、後工程でこの端子をコネクタに挿入する仕様のもの（以下、「後入れ電線」という）がある。
このような後入れ電線を含むワイヤアセンブリを図板上に布線するに当たり、上記後工程までの間に後入れ電線を仮保持するための仮保持具がこれまで多く提案されてきた。
【０００４】
大別すると、周知の電線保持具の電線受け部に変更を加えて、専らワイヤアセンブリの後入れ電線のみを保持するための仮保持具（例えば実開平５−６５０１５号、特開平９−１６１５６３号公報等）と、電線保持具の電線受け部に、仮保持用の別部材を付設したもの（例えば特開平８−１９０８２１号公報）とが知られている。
【０００５】
【発明が解決しようとする課題】
上述した先行技術に係る仮保持具では、何れも電線保持具が電線束を受ける電線受け部または電線受け部相当部分（ピラー部の上端側）において後入れ電線を仮保持していた。そのため、電線保持具が密集した部分では、十分なスペースを確保することができないため、作業性が悪くなるという不具合があった。
【０００６】
本発明は上記不具合に鑑みてなされたものであり、作業性並びに汎用性に優れた後入れ電線仮保持具を提供することを課題としている。
【０００７】
【課題を解決するための手段】
上記課題を解決するために、本発明は、ワイヤアセンブリを布線するための図板上に立設されたピラー部とピラー部の上端部に形成される電線受け部とを有する電線保持具に付設され、該電線保持具上に配索されるワイヤアセンブリの後入れ電線を仮保持するための後入れ電線仮保持具において、上記後入れ電線を仮保持する仮保持部と、仮保持部が、上記電線受け部の下方に区画される空き空間で後入れ電線を仮保持するように、仮保持部を電線保持具に着脱可能に取り付ける取付手段とを備えていることを特徴とする後入れ電線仮保持具である。
【０００８】
この特定事項を有する発明では、後入れ電線を受けて仮保持する仮保持部が、電線保持具の電線受け部の下方に区画される空き空間のところに配置されるので、電線保持具が密集している箇所でも比較的広いスペースで、後入れ電線の着脱を行うことができる。
また、この後入れ電線を保持する仮保持部は、取付手段によって電線保持具に着脱可能に取り付けられているので、必要に応じて後入れ電線仮保持具を電線保持具と一体に着脱したり、あるいは電線保持具に対して着脱することが可能になる。
【０００９】
【発明の実施の形態】
以下、添付図面を参照しながら、本発明の好ましい実施の形態について、詳述する。
図１は本発明の実施の一形態における後入れ電線仮保持具１０の使用例を示す斜視図であり、図２は図１の後入れ電線仮保持具１０を電線保持具１に装着する際の状態を示す斜視図である。
【００１０】
これらの図を参照して、図示の実施の形態に係る後入れ電線仮保持具１０は、周知の電線保持具１に着脱自在に付設されることにより、電線保持具１が保持しているワイヤアセンブリ（図示せず）の後入れ電線Ｗを仮保持するためのものである。
先ず、電線保持具１は、図示しない図板上に立設され、上記ワイヤアセンブリを受けるためのものであり、該図板上に一対のナット２（一方のみ図示）によって立設されたピラー部３と、このピラー部３の上端部に延設されたＵ字状の電線受け部４とを一体に備えた金属製部材である。
【００１１】
そして、後入れ電線仮保持具１０は、この電線保持具１のピラー部３に着脱される一対のクリップ片１１と、両クリップ片１１間に張設される引っ張りコイルばね１２とからなるものである。
上記一対のクリップ片１１は、図示の実施の形態において取付手段を構成するものであり、全体として略Ｊ字型に屈曲し、直線状に延びる取付部１１ａと、取付部１１ａの一端側に連続してＣ字型に湾曲することにより、上記ピラー部３の外周部に巻着可能な巻着部１１ｂと、巻着部１１ｂの自由端に連続して形成された折り返し部１１ｃとを一体に有するフック状の部材である。各クリップ片１１は、例えばばね鋼で形成されており、上記巻着部１１ｂに比較的強い緊縛力を奏し得るばね性を持たせている。そして、これにより、取付部１１ａと折り返し部１１ｃとの間に形成される隙間から上記巻着部１１ｂをピラー部３に押し込んで圧入することにより、容易にクリップ片１１を電線保持具１に装着することができる一方、クリップ片１１を把持して上記と逆向きに引き抜くことにより、比較的容易に取り外すことが可能になる。
【００１２】
各クリップ片１１、１１間に張設される引っ張りコイルばね１２は、図示の実施の形態において後入れ電線Ｗを仮保持するための仮保持部を構成するステンレススチール製品であり、例えば、ピッチが１．０ｍｍから１．３ｍｍのものが好適に使用される。引っ張りコイルばね１２の各端部１２ａは、対応するクリップ片１１の取付部１１ａを貫通した状態で固着されている。
【００１３】
この引っ張りコイルばね１２の引っ張り力に対して、上記クリップ片１１の巻着部１１ｂによる止定力を十分に大きく設定しておくことにより、図１に示すように、各クリップ片１１、１１の電線保持具１への装着時において、所望の張力でピラー部３に対し並行に張設することが可能になる。このとき、図１に示すように、引っ張りコイルばね１２を上記クリップ片１１の取付部１１ａの寸法設定により、概ね電線保持具１の電線受け部４の下方に配置させ、ピラー部３の周囲に区画されている空き空間Ｓ内に引っ張りコイルばね１２を収めている。
【００１４】
以上の構成によれば、図２に示すように、取付手段としての各クリップ片１１を図２に示す状態から図１に示す状態に装着することにより、各クリップ片１１に取り付けられている仮保持部としての引っ張りコイルばね１２をピラー部３に並行に張設することができる。そして、この引っ張りコイルばね１２のピッチ間に後入れ電線Ｗを挟み込むことにより、後入れ電線Ｗを容易に仮保持し、布線作業やその他の作業を行うことが可能になる。
【００１５】
ここで、上述した実施の形態では、後入れ電線Ｗを受けて仮保持する引っ張りコイルばね１２が、電線保持具１の電線受け部４の下方に区画される空き空間Ｓのところに配置されるので、電線保持具１が密集している箇所でも比較的広いスペースで、後入れ電線Ｗの着脱を行うことができる。
また、この後入れ電線Ｗを保持する引っ張りコイルばね１２は、各クリップ片１１によって電線保持具１に着脱可能に取り付けられているので、必要に応じて後入れ電線仮保持具１０を電線保持具１と一体に着脱したり、あるいは電線保持具１に対して着脱することが可能になる。
【００１６】
このように、上述した実施の形態に係る後入れ電線仮保持具１０では、電線保持具１の空き空間Ｓを有効活用することができるので、作業性やレイアウトの許容度が高まる他、電線保持具１に対する着脱機能によって取り扱いや汎用性も高まるという顕著な効果を奏する。
図３は本発明の実施の別の形態に係る後入れ電線仮保持具２０の別の態様を示す斜視図であり、図４は図３の後入れ電線仮保持具２０を装着した状態を示す正面略図である。
【００１７】
これらの図を参照して、後入れ電線仮保持具２０は、軟質のポリウレタン製で柱状体であり、その中央部に長手方向に連通する挿通孔２１と、この挿通孔２１と連通して後入れ電線仮保持具２０の一辺に挿通孔２１を開放するスリット２２とが形成されている。そして、上記スリット２２を介し、電線保持具１のピラー部３を挿通孔２１内に嵌入することが可能になっており、これによって取付手段としての機能を奏するように構成されている。
【００１８】
さらに、後入れ電線仮保持具２０の外周部の少なくとも一辺には、長手方向に間隔を隔てて多数形成されるスリット２３が、後入れ電線仮保持具２０の長手方向の概ね全長にわたって形成されており、各スリット２３、２３間に区画されるフランジ部２４、２４が、図示の実施の形態における仮保持部を構成している。以上の構成では、上記スリット２３を介して後入れ電線仮保持具２０を電線保持具１のピラー部３に装着し、後入れ電線Ｗを各スリット２３のうちの任意の位置に嵌め入れるだけで、図１の実施の形態と同様の作用効果を奏し、後入れ電線Ｗを仮保持することが可能になる。
【００１９】
上記スリット２３は、等間隔でもよく、複数種の線径の後入れ電線Ｗに対応してピッチを複数種変更したものであってもよい。
図５は本発明のさらに別の実施の形態に係る後入れ電線仮保持具３０の一部を破断して示す斜視図である。
同図を参照して、図示の実施の形態では、図３および図４に示したウレタン製の柱状体の全周にわたってスリット２３を形成している。
【００２０】
この実施の形態では、上述した作用効果の他、取付け時の姿勢に拘らず、何れの方向からも後入れ電線Ｗを仮保持することができるという利点がある。
上述した実施の各形態は本発明の好ましい具体例を例示したものに過ぎず、本発明は上述した実施の形態に限定されない。本発明の特許請求の範囲内で種々の設計変更が可能であることは云うまでもない。
【００２１】
【発明の効果】
以上説明したように、本発明によれば、電線保持具の空き空間を有効活用することができるので、作業性やレイアウトの許容度が高まる他、電線保持具に対する着脱機能によって取り扱いや汎用性も高まるという顕著な効果を奏する。
【図面の簡単な説明】
【図１】本発明の実施の一形態における後入れ電線仮保持具の使用例を示す斜視図である。
【図２】図１の後入れ電線仮保持具を電線保持具に装着する際の状態を示す斜視図である。
【図３】本発明の実施の別の形態に係る後入れ電線仮保持具の別の態様を示す斜視図である。
【図４】図３の後入れ電線仮保持具を装着した状態を示す正面略図である。
【図５】本発明のさらに別の実施の形態に係る後入れ電線仮保持具の一部を破断して示す斜視図である。
【符号の説明】
１    電線保持具
３    ピラー部
４    電線受け部
１０    電線仮保持具
１１    クリップ片（取付手段）
１２    引っ張りコイルばね（仮保持部）
２０    電線仮保持具
２１    挿通孔
２２    スリット
２３    スリット
２４    フランジ
３０    電線仮保持具
Ｓ    空き空間
【図１】
0003546918.tif 000002
【図２】
0003546918.tif 000003
【図３】
0003546918.tif 000004
【図４】
0003546918.tif 000005
【図５】
0003546918.tif 000006